(57)【要約】【課題】既設の換気装置を新設の換気装置に簡単な作業で取り替えできるようにした換気装置取替用ユニットとする。【解決手段】外壁１に残存した既設の換気装置の木枠３に取り付ける塞ぎ板１１と、この塞ぎ板１１に設けた排気用のダクト１２を有し、その塞ぎ板１１を木枠３に取り付けることでダクト１２が木枠３内に挿入し、このダクト１２の外周面と木枠３の内周面との間の隙間が塞ぎ板１１で閉塞されるようにした換気装置取替用ユニットで、前述の木枠３を利用して新設の換気装置の排気用のダクトを室外まで配設できるので、そのダクトのために大掛かりな作業が不要となるから、既設の換気装置を新設の換気装置に簡単な作業で取り替えできる。【選択図】図３
2010276294.tif 000002
【特許請求の範囲】
【請求項１】
金属製の塞ぎ板１１に金属製のダクト１２を取り付けた取替え具１０を備え、
前記塞ぎ板１１を、外壁１の取付孔２に取り付けてある木枠３に取り付けることで、前記ダクト１２が木枠３内に挿入し、そのダクト１２の外周面と木枠３の内周面との間の隙間が塞ぎ板１１で閉塞されるようにしたことを特徴とする換気装置取替用ユニット。
【請求項２】
前記木枠３の内周面を被覆する不燃層２０を備えている請求項１記載の換気装置取替用ユニット。
【請求項３】
前記木枠３内部に、室内側から取り付け可能な防鳥網３０を備え、この防鳥網３０はダクト１２よりも室外側寄りに取り付けられる請求項１又は２記載の換気装置取替用ユニット。
【請求項４】
外壁１の木枠３から既設の換気装置を取り外して木枠３を残存し、
この木枠３に、前記請求項１，２，３いずれか１項に記載の換気装置取替用ユニット８を取り付け、
前記外壁１の室内側面１ａに、新設の換気装置を取り付け、
この新設の換気装置の排気口４２と、前記換気装置取替用ユニット８のダクト１２を、接続用ダクト４３で連通するようにしたことを特徴とする換気装置の取替方法。
【請求項５】
前記残存した木枠３を取付孔２から取り外し、その取付孔２内に新しい木枠３を取り付け、
この木枠３に、換気装置取替用ユニット８を取り付けるようにした請求項４記載の換気装置の取替方法。
【請求項６】
外壁１の取付孔２に取り付けてある木枠３と、この木枠３に取り付けた請求項１，２，３いずれか１項記載の換気装置取替用ユニット８と、前記外壁１の室内側面１ａに取り付けた新設の換気装置と、この新設の換気装置の排気口４２と前記換気装置取替用ユニット８のダクト１２を連通する接続用ダクト４３を備えていることを特徴とする換気装置。
【発明の詳細な説明】
【技術分野】
【０００１】
本発明は、プロペラファンを用いた既設の換気装置を多翼ファン、ターボファンを用いた新設の換気装置に取り替える際に用いる換気装置取替用ユニット及び、その換気装置取替ユニットを用いて換気装置を取り替える換気装置の取替方法並びに、取り替えした換気装置に関する。
【背景技術】
【０００２】
従来、台所に設置され調理により発生する油煙や臭気を屋外へと排気するための換気装置としては、特許文献１に開示されたように、プロペラファンを用いた換気扇と呼ばれる第１の換気装置、特許文献２に開示されたように、多翼ファンを用いたレンジフードと呼ばれる第２の換気装置が知られている。
【先行技術文献】
【特許文献】
【０００３】
【特許文献１】特開平７−１５１３６４号公報
【特許文献２】特開２００７−２３２３５１号公報
【発明の概要】
【発明が解決しようとする課題】
【０００４】
前述の第１の換気装置は排気能力が劣り、第２の換気装置は排気能力が優れているのが一般的である。
そこで、台所のリフォーム時などに既設の第１の換気装置を第２の換気装置に取り替えることがある。
その際には、外壁に取り付けてある既設の第１の換気装置及び外壁の取付孔に取り付けてある木枠を外壁から取り外し、その外壁の取付孔を閉塞すると共に、取り外した跡を補修した後に、前記外壁に第２の換気装置を取り付け、その第２の換気装置の排気口に連通させて屋外へと油煙や臭気を導くための排気用のダクトを外壁を貫通して設置することになり、その作業は大掛かりで労力や費用のかかるものであった。
【０００５】
本発明の目的は、既設の換気装置を新設の換気装置に取り替える作業が簡単で、その労力や費用が少なくてすむようにした換気装置取替用ユニット及び換気装置の取替方法並びに換気装置とすることである。
【課題を解決するための手段】
【０００６】
本発明の換気装置取替用ユニットは、金属製の塞ぎ板１１に金属製のダクト１２を取り付けた取替え具１０を備え、
前記塞ぎ板１１を、外壁１の取付孔２に取り付けてある木枠３に取り付けることで、前記ダクト１２が木枠３内に挿入し、そのダクト１２の外周面と木枠３の内周面との間の隙間が塞ぎ板１１で閉塞されるようにしたものである。
【０００７】
本発明の換気装置取替用ユニットにおいては、前記木枠３の内周面を被覆する不燃層２０を備えていることができる。
【０００８】
このようにすれば、ダクト１２を流通する油煙などの熱が木枠３に伝わり難いので、ダクト１２を木枠３の内周面に接近して配設した場合でも前述の熱で木枠３が燃えることがない。
【０００９】
本発明の換気装置取替用ユニットにおいては、前記木枠３内部に、室内側から取り付け可能な防鳥網３０を備え、この防鳥網３０はダクト１２よりも室外側寄りに取り付けられるようにできる。
【００１０】
このようにすれば、木枠３内に鳥などが入り込むことがないと共に、外壁１の室外側面１ｂに取り付けてあるウエザーカバー７の交換等の外壁側工事が必要なく、施工性が向上する。
【００１１】
本発明の換気装置の取替方法は、外壁１の木枠３から既設の換気装置を取り外して木枠３を残存し、
この木枠３に、前記請求項１，２，３いずれか１項に記載の換気装置取替用ユニット８を取り付け、
前記外壁１の室内側面１ａに、新設の換気装置を取り付け、
この新設の換気装置の排気口４２と、前記換気装置取替用ユニット８のダクト１２を、接続用ダクト４３で連通するようにしたものである。
【００１２】
本発明の換気装置は、外壁１の取付孔２に取り付けてある木枠３と、この木枠３に取り付けた請求項１，２，３いずれか１項記載の換気装置取替用ユニット８と、前記外壁１の室内側面１ａに取り付けた新設の換気装置と、この新設の換気装置の排気口４２と前記換気装置取替用ユニット８のダクト１２を連通する接続用ダクト４３を備えているものである。
【発明の効果】
【００１３】
本発明によれば、外壁１の取付孔２に取り付けてある木枠３に、取替え具１０を取り付けることで、その木枠３内にダクト１２が挿入して配設されると共に、そのダクト１２の外周面と木枠３の内周面の隙間が塞ぎ板１１で閉塞される。
したがって、外壁１の取付孔２に取り付けてある木枠３、その取付孔２を利用して新設の換気装置の排気用のダクトを室外まで容易に配設でき、取付孔２を閉塞したり、外壁１の補修作業が必要なく、既設の換気装置を新設の換気装置に取り替える作業が簡単で、その労力や費用を少なく抑えることができる。
【図面の簡単な説明】
【００１４】
【図１】既設の換気装置の取り付け状態の断面図である。
【図２】既設の換気装置を取り外すと共に、換気装置取替用ユニットを取り外した状態の断面図である。
【図３】新設の換気装置を取り付けた状態の断面図である。
【図４】新設の換気装置を取り付けた状態の内観図である。
【図５】木枠と換気装置取替用ユニットの分解斜視図である。
【図６】換気装置取替用ユニットを取り付けた状態の詳細断面図である。
【発明を実施するための形態】
【００１５】
図１に示すように、建物の外壁１の取付孔２内に木枠３が挿入して取り付けてある。この木枠３に既設の換気装置４を取り付けてある。
前記既設の換気装置４は、ハウジング５内にプロペラファンとモータを取り付けたプロペラファンを用いた換気扇と呼ばれる換気装置で、そのハウジング５が木枠３に固着具で、室内側から固着して取り付けてある。
前記外壁１の室内側面１ａには不燃材６が取り付けてあると共に、その外壁１の室外側面１ｂにはウエザーカバー７が取り付けてある。
なお、図１においてプロペラファンを用いた換気扇と呼ばれる換気装置は従来と同様であるから、全体を仮想線で示して内部構造は図示を省略してある。
【００１６】
図１に示す既設の換気装置４を新設の換気装置に取り替える方法を説明する。
図１に示す換気装置４のハウジング５を室内側から取り外し、図２に示すように木枠３を残存させる。不燃材６、ウエザーカバー７も残存する。
前記残存した木枠３が腐食していたり、損傷しているときには、その木枠３を取り外し、取付孔２内に新しい木枠３を取り付ける。
【００１７】
この後に、図３に示すように木枠３に、換気装置取替用ユニット８を取り付ける。
この換気装置取替用ユニット８は、図２、図３に示すように、取替え具１０と不燃層２０と防鳥網３０を備えている。
前記取替え具１０は、木枠３の開口部を閉塞する金属製の塞ぎ板１１と、この塞ぎ板１１に設けた金属製のダクト１２を有し、その塞ぎ板１１を木枠３に固着して取り付けることで木枠３の室内側の開口部を閉塞する、つまり木枠３の内周面とダクト１２の外周面との間の隙間を閉塞する。これとともに、ダクト１２が木枠３内に挿入する。
【００１８】
前記不燃層２０は、断熱性を有する不燃材料より成り、木枠３の内周面３ａを被覆して前記ダクト１２内を流通する油煙などの熱で木枠３が燃えないようにする。
例えば、断熱性を有する不燃材料より成るプレート２１を、木枠３の内周面３ａに接して取り付ける。このプレート２１（不燃層２０）の厚さは９．５ｍｍ以上である。
なお、木枠３の内周面３ａとダクト１２とが１０ｃｍ以上離れていれば前述の不燃層２０を設けなくとも良い。
【００１９】
前記防鳥網３０は、室内側から木枠３内に挿入し、その木枠３の室外側寄りに室内側から取り付けて外壁１の室外側面１ａとほぼ面一とする。
この防鳥網３０と前記ダクト１２の先端面は接触しないようにする。
これによって、ダクト１２を外壁１の室外側面１ｂの近くまで配管することができる。
なお、既設のウエザーカバー７に防鳥網が取り付けてある場合には、この防鳥網３０を取り付けなくとも良い。
【００２０】
前記換気装置取替用ユニット８は、まずプレート２１を木枠３の内周面３ａに室内側からそれぞれ取り付けて不燃層２０で木枠３の内周面３ａを被覆する。
次に、防鳥網３０を取り付ける。
最後に取替え具１０の塞ぎ板１１を取り付ける。
【００２１】
このように、換気装置取替用ユニット８を室内側から取り付けできるので、ウエザーカバー７の交換等の外壁側工事が必要なく、施工性が向上する。
【００２２】
図３と図４に示すように、前記外壁１の室内側面１ａ（不燃材６）に、新設の換気装置４０を取り付ける。
この新設の換気装置４０はフード本体４１内に、多翼ファンを有した送風機、フィルターなどを取り付けたレンジフードと呼ばれる換気装置で、そのフード本体４１を前述の外壁１の室内側面１ａに取り付ける。
前記フード本体４１の排気口４２と前記ダクト１２とを接続ダクト４３で連通する。
【００２３】
前記フード本体４１の排気口４２は、木枠３の中心と位置がずれているので、接続ダクト４３は垂直姿勢に対して斜めの姿勢となっている。
つまり、多翼ファンを用いた送風機の場合には、吸込口がファンの回転中心と同心状で、排気口がファンの回転中心よりもずれた位置となるので、その送風機をフード本体４１の中央部に取り付けると排気口４２がフード本体４１の中央部からずれた位置となり、前述のように木枠３の中心と位置がずれる。
【００２４】
前述のように、塞ぎ板１１を木枠３に取り付けることで、ダクト１２を木枠３内に容易に配設できると共に、そのダクト１２と木枠３の内周面３ａとの隙間を塞ぎ板１１で閉塞することができる。
したがって、外壁１の取付孔２に取り付けてある木枠３、その取付孔２を利用して新設の換気装置４０の排気用のダクトを室外まで容易に配設でき、木枠３の取り外し作業や、木枠３の開口部を閉塞するために外壁１の補修作業が必要なく、既設の換気装置を新設の換気装置に取り替える作業が簡単で、その労力や費用を少なく抑えることができる。
【００２５】
次に、各部材の詳細を図５、図６に基づいて説明する。
前記木枠３は、上横板３ｂと下横板３ｃと左右の縦板３ｄで矩形状の枠体としてある。
前記取替え具８の塞ぎ板１１は、上端面１１ａと下端面１１ｂと左縦端面１１ｃと右縦端面１１ｄを有する前記木枠３よりも大きな矩形板状で、ダクト貫通孔１３を有していると共に、そのダクト貫通孔１３の周縁に小孔１４が複数形成してある。
この塞ぎ板１１はアルミニウムにより形成されている。
前記ダクト貫通孔１３は、その中心が塞ぎ板１１の中心１１ｅよりも左右一方及び上下一方にずれた位置となるように形成してある。
図５では、ダクト貫通孔１３の中心は、塞ぎ板１１の中心１１ｅよりも左縦端面１１ｃ及び下端面１１ｂにずれた位置となるように形成されている。
【００２６】
前記ダクト１２は、フランジ１５を有した一側筒１６と、前記ダクト貫通孔１３よりも小径な他側筒１７を有し、その一側筒１６に他側筒１７を嵌合して連結してダクト１２としてある。
そして、他側筒１７を塞ぎ板１１のダクト貫通孔１３に挿通してフランジ１５を塞ぎ板１１の表面（室内側に向かう面）に気密材１８（リング状のシールプレート）を介して押しつけて固着してある。例えば、ボルト１９ａをフランジ１５の孔１５ａ、塞ぎ板１１の小孔１４を挿通してナット１９ｂに螺合してダクト１２を塞ぎ板１１に、ダクト１２の中心が塞ぎ板１１の中心１１ｅよりも左右一方及び上下一方にずれた位置となるように固着して取り付けてある。
前記一側筒１６が塞ぎ板１１の表面よりも室内側に突出し、他側筒１７が塞ぎ板１１の裏面よりも室外側に突出していると共に、他側筒１７（ダクト１２）の外周面と塞ぎ板１１のダクト貫通孔１３との間に隙間がある。
【００２７】
前述のようであるから、取替え具８を木枠３に取り付けるには、塞ぎ板１１の左右他方寄り（図５では右縦端面１１ｄ寄り）と、上下他方寄り（図５では上端面１１ａ寄り）、つまりダクト１２のずれた方と反対方寄りを、木枠３の大きさ（左右寸法、上下寸法）に合わせて図５に１点鎖線で示すように切断し、塞ぎ板１１を木枠３と同じ大きさとする。
そして、塞ぎ板１１を木枠３にねじなどの固着具１０ａで固着して取り付ける。
このようであるから、大きさの異なる木枠３に取り付けて木枠３の開口部を閉塞できると共に、切断作業が簡単である。
【００２８】
前記不燃層２０は、前述した厚さ９．５ｍｍ以上の断熱性を有する不燃材料より成る上横プレート２１ａと下横プレート２１ｂと左右の縦プレート２１ｃを有し、前記木枠３の上横板３ｂ、下横板３ｃ、左右の縦板３ｄの内面に、前記各プレートを接してねじなどの固着具２２で固着して取り付けてある。
前記防鳥網３０は、左右の縦縁を折り曲げて取付片部３１とし、この取付片部３１を前記不燃層２０の左右の縦プレート２１ｃ（左右の縦内面）に固着具３２で固着して取り付けてある。
【００２９】
前述のように、塞ぎ板１１は不燃材６に接して取り付けてあるので、ダクト１２を流通する油煙などの熱が塞ぎ板１１から木枠３に伝わり難く、木枠３が燃えることがない。
【００３０】
なお、前述のように塞ぎ板１１のダクト貫通孔１３とダクト１２との間に隙間があるので、ダクト１２のフランジ１５と塞ぎ板１１との間に断熱層を設けることにより、ダクト１２から塞ぎ板１１へ熱が伝わり難くなるから、塞ぎ板１１を木枠３に接触して取り付けしてもダクト１２を流通する油煙などの熱によって木枠３が燃えることがない。
例えば、前述した気密材１８を断熱性を有する材料にする。
【００３１】
しかも、前述のように断熱層を設けた場合に、ねじ等の複数の固着具（ボルト１９ａとナット１９ｂ）でフランジ１５を塞ぎ板１１に連結することで、ダクト１３と塞ぎ板１１が金属接触する部分が点接触となるから、ダクト１３から塞ぎ板１１への熱の伝わりがより少なくなる。
【００３２】
前記断熱性を有した不燃材料としては、ケイ酸カルシウム板、せっこうボード、ロックウール、グラスウォール、ケイ酸カルシウムの基材に粘土鉱物であるバーミキュライトを加えたモイス（ＭＯＩＳＳ）と呼ばれる素材などが望ましい。
【符号の説明】
【００３３】
１…外壁、１ａ…室内側面、２…取付孔、３…木枠、３ａ…内周面、４…既設の換気装置、７…ウエザーカバー、８…換気装置取替用ユニット、１０…取替え具、１１…塞ぎ板、１２…ダクト、２０…不燃層、３０…防鳥網、４０…新設の換気装置、４１…フード本体、４２…排気口、４３…接続用ダクト。
【図１】
2010276294.tif 000003
【図２】
2010276294.tif 000004
【図３】
2010276294.tif 000005
【図４】
2010276294.tif 000006
【図５】
2010276294.tif 000007
【図６】
2010276294.tif 000008